(57)【要約】【課題】操作性を向上させることが可能になると共に、気水密性を向上させた構造の換気装置を提供する。【解決手段】矩形に構成される枠体に外開き式に障子１４を装着する。枠１０に、障子１４開閉用の操作部１６とを備える。操作部１６の操作力を上障子１４の開閉力に変換する連結機構２５の収容スペース１０ｆを枠１０に設ける。枠１０の室外側の面に、収容スペース１０ｆを囲むようにシール材６０，６１，６２を設ける。【選択図】図５
2014043719.tif 000002
【特許請求の範囲】
【請求項１】
左右の縦枠、上枠および下枠により矩形に構成される枠体に外開き式に障子を装着してなる換気装置において、
前記枠体を構成する上枠に設けられた障子開閉用の操作部と、
前記操作部と前記障子との間に設けられ、前記操作部の操作力を前記障子の開閉力に変換する連結機構と、
前記枠体を構成する上枠に設けられ、前記連結機構の構成部材を収容するスペースと、
前記枠体を構成する左右の縦枠と、下枠の室外側の面に設けられた第１のシール材と、
前記上枠の室外側の面に前記スペースを囲むように設けられた第２のシール材とを備え、
前記第１のシール材又は第２のシール材の少なくとも一方は、前記障子の室内側の面が当接することにより障子面方向に拡がる構造とした
ことを特徴とする換気装置。
【請求項２】
請求項１に記載の換気装置において、
前記スペースを囲むように設けられる第２のシール材が、
前記上枠の室外側の面における前記スペースの下側に、前記左右の縦枠に設けるシール材の上端に両端が連続するように設けられると共に、障子の圧接により圧縮されて上下に延びるように変形するスペース下側シール材と、
前記上枠の室外側の面における前記スペースの上側に設けられ、障子の圧接により圧縮されて上下に延びるように変形するスペース上側シール材と、
前記スペースの両側における前記スペース上側シール材と前記スペース下側シール材との間に設けられたスペース側部シール材とを備え、
障子の閉じ状態において、前記スペース下側シール材および前記スペース上側シール材の変形によりこれらのシール材が前記スペース側部シール材の下端、上端と連続してシール部を密閉する構造とした
ことを特徴とする換気装置。
【請求項３】
請求項１または２に記載の換気装置において、
前記第１のシール材または第２のシール材の少なくとも一方は、筒状断面を有しており、前記障子が当接することで弾性変形して障子面方向に拡がる
ことを特徴とする換気装置。
【請求項４】
請求項１または２に記載の換気装置において、
前記換気装置が段窓の下窓部として構成され、前記上枠が枠体の上下を仕切る中間枠として構成されたものである
ことを特徴とする換気装置。
【請求項５】
請求項１から３までのいずれか１項に記載の換気装置において、
前記操作部がオペレータハンドルを備えたものである
ことを特徴とする換気装置。
【発明の詳細な説明】
【技術分野】
【０００１】
本発明は、ビルや住宅等に設置される換気装置に係わり、より詳しくは、換気装置の開閉操作部の構造およびその部分の気水密性保持構造に関する。
【背景技術】
【０００２】
近年、温暖化対策や省エネおよび節電対策として換気装置が求められており、住宅用では、上下２段の開き窓を有する段窓が用いられてきている（特許文献１参照）。このような換気装置の開閉操作手段として、オペレータハンドルと称される回動式ハンドルの操作によって窓を開閉するものや、ラッチハンドルを用いたものがある。
【０００３】
このような換気装置のうち、オペレータハンドルを用いた従来の換気装置は、窓開閉用のオペレータハンドルを下枠に取付けて構成される。また、ラッチハンドルを用いた従来の段窓式換気装置は、障子の自由端にラッチハンドルを取付けて構成される。
【先行技術文献】
【特許文献】
【０００４】
【特許文献１】特開２００２−１９４９５２号公報
【発明の概要】
【発明が解決しようとする課題】
【０００５】
ラッチハンドルや開閉式ハンドルを用いた換気装置の場合、この換気装置がフロアラインに設置されると、ラッチハンドルの場合は下窓に設置され、開閉ハンドルの場合は設置位置がフロア近くの低い位置となる。このため、下窓を開閉するためには、腰をかがめて開閉操作をする必要があるので、操作性が悪くなるという問題点がある。
【０００６】
本発明は、上記問題点に鑑み、操作性を向上させることが可能になると共に、気水密性を向上させた構造の換気装置を提供することを目的とする。
【課題を解決するための手段】
【０００７】
請求項１の換気装置は、左右の縦枠、上枠および下枠により矩形に構成される枠体に外開き式に障子を装着してなる換気装置において、
前記枠体を構成する上枠に設けられた障子開閉用の操作部と、
前記操作部と前記障子との間に設けられ、前記操作部の操作力を前記障子の開閉力に変換する連結機構と、
前記枠体を構成する上枠に設けられ、前記連結機構の構成部材を収容するスペースと、
前記枠体を構成する左右の縦枠と、下枠の室外側の面に設けられた第１のシール材と、
前記上枠の室外側の面に前記スペースを囲むように設けられた第２のシール材とを備え、
前記第１のシール材または第２のシール材の少なくとも一方は、前記障子の室内側の面が当接することにより障子面方向に拡がる構造とした
ことを特徴とする。
【０００８】
請求項２の換気装置は、請求項１に記載の換気装置において、
前記スペースを囲むように設けられる第２のシール材が、
前記上枠の室外側の面における前記スペースの下側に、前記左右の縦枠に設けるシール材の上端に両端が連続するように設けられると共に、障子の圧接により圧縮されて上下に延びるように変形するスペース下側シール材と、
前記上枠の室外側の面における前記スペースの上側に設けられ、障子の圧接により圧縮されて上下に延びるように変形するスペース上側シール材と、
前記スペースの両側における前記スペース上側シール材と前記スペース下側シール材との間に設けられたスペース側部シール材とを備え、
障子の閉じ状態において、前記スペース下側シール材および前記スペース上側シール材の変形によりこれらのシール材が前記スペース側部シール材の下端、上端と連続してシール部を密閉する構造とした
ことを特徴とする。
【０００９】
請求項３の換気装置は、請求項１または２に記載の換気装置において、
前記第１のシール材または第２のシール材の少なくとも一方は、筒状断面を有しており、前記障子が当接することで弾性変形して障子面方向に拡がる
ことを特徴とする。
【００１０】
請求項４の換気装置は、請求項１または２に記載の換気装置において、
前記換気装置が段窓の下窓部として構成され、前記上枠が枠体の上下を仕切る中間枠として構成されたものである
ことを特徴とする。
【００１１】
請求項５の換気装置は、請求項１から３までのいずれか１項に記載の換気装置において、
前記操作部がオペレータハンドルを備えたものである
ことを特徴とする。
【発明の効果】
【００１２】
請求項１の発明によれば、障子を開閉する際に腰をかがめて操作部を操作する必要がなく、操作性が向上する。また、連結機構の構成部材を収容するために上枠に設けるスペースがシール材によりシールされるため、例えば、高層ビルのように、内外の圧力差が高くなるような雨水等が浸入しやすい環境においても、障子の側部と枠体との間から浸入する雨水が開口部を通して室内に入ることを防止することができ、気水密性が向上する。
【００１３】
請求項２の発明によれば、連結機構の構成部材を収容するスペースをシールする第２のシール材が、上下のシール材および両側部のシール材により構成され、障子のシール材への圧接により変形し、上下のシール材が側部のシール材に圧接して密閉されるため、気水密性がさらに向上する。
【００１４】
請求項３の発明によれば、第１のシール材または第２のシール材の少なくとも一方は、筒状断面を有しており、前記障子が当接することで弾性変形して障子面方向に拡がるため、シール材間が圧接され、気水密性がさらに向上する。
【００１５】
請求項４の発明によれば、段窓の下窓として換気装置を構成したので、ビルに設けるフィックス窓に横並びに連設する段窓のように、高さの高い段窓の場合であっても、フロア面に置かれる荷物等に邪魔されるおそれがなく、操作性の向上の面で顕著な効果が得られると共に、意匠性の面でも顕著な効果を奏することができる。
【００１６】
請求項５の発明によれば、操作部にオペレータハンドルを備えたので、比較的小さな操作力で障子の開閉操作を行なうことが可能となる。
【図面の簡単な説明】
【００１７】
【図１】（Ａ）は本発明の一実施の形態の換気装置を室内側から見た正面図、（Ｂ）は上下逆勝手開閉式窓の作用説明図である。
【図２】（Ａ）、（Ｂ）はそれぞれ図１のＥ−Ｅ拡大断面図、Ｙ−Ｙ拡大断面図である。
【図３】（Ａ）、（Ｂ）はそれぞれ障子を閉じた状態、開いた状態で示す図１のＦ−Ｆ拡大断面図である。
【図４】図３（Ａ）の要部拡大断面図である。
【図５】図２（Ａ）の要部拡大断面図である。
【図６】本実施の形態において、上障子を開いた状態を示す横断面図である。
【図７】本実施の形態において、上障子と下障子を共に開いた状態を示す横断面図である。
【図８】本実施の形態において、中間枠の構造およびシール材を示す縦断面図である。
【図９】図８のＧ−Ｇ断面図である。
【図１０】本実施の形態において、中間枠の構造およびシール材を示す正面図である。
【図１１】（Ａ）、（Ｂ）はそれぞれ本実施の形態において用いたスペース側部シール材を示す正面図、平面図である。
【図１２】本実施の形態におけるシール材の作用を説明する正面図である。
【図１３】（Ａ）、（Ｂ）はそれぞれ本発明の他の実施の形態を示す正面図である。
【発明を実施するための形態】
【００１８】
図１（Ａ）は本発明の一実施の形態の換気装置を室内側から見た正面図である。図１（Ａ）において、１はビルに設置されるフィックス窓、２はこのフィックス窓１に横並びに設置される換気装置である。３，４はそれぞれフィックス窓１および換気装置２に共通の上枠および下枠、５，６，７は縦枠であり、一端側の縦枠５はフィックス窓１の一方の縦枠として用いられ、他端側の縦枠７は換気装置２の一方の縦枠として用いられ、両者間の縦枠６はフィックス窓１と換気装置２に共通の縦枠として用いられる。上枠３、下枠４および縦枠５〜７はアルミニウム合金製または樹脂製押出形材でなる。８はフィックス窓１の障子であり、この障子８はガラスで構成され、上枠３、下枠４および縦枠５，６で構成される枠内に嵌め殺し状に固定して設けられる。
【００１９】
換気装置２の枠は上枠３、下枠４および縦枠６，７で構成される縦長の矩形の枠を無目と称される中間枠１０により仕切り、中間枠１０ないしその上部を上枠部１１として構成し、中間枠１０ないしその下部を下枠部１２として構成する。１３は上枠部１１に外開き式に取付けられた上障子、１４は下枠部１２に外開き式に取付けた下障子である。１５，１６はそれぞれ上障子１３、下障子１４を開閉する第１、第２の操作部であり、本実施の形態においては、これらの操作部がオペレータハンドルと称される回動式開閉ハンドルを用いた例について示す。
【００２０】
図２（Ａ）、（Ｂ）はそれぞれ図１のＥ−Ｅ拡大断面図、Ｙ−Ｙ拡大断面図、図３（Ａ）、（Ｂ）はそれぞれ障子を閉じた状態、開いた状態で示す図１のＦ−Ｆ拡大断面図、図４は図３（Ａ）の要部拡大断面図、図５は図２（Ａ）の要部拡大断面図である。図５において、１０ｃは中間枠１０に設けられたタッピングホールであり、中間枠１０はその両端を縦枠６，７に突き合わせてタッピングホール１０ｃにねじ込むタッピングねじ(図示せず)により縦枠６，７に固定される。
【００２１】
図４の断面図に示されるように、上障子１３は、例えばアルミニウム合金製あるいは樹脂製の押出形材１３ａを主体とし、この主体１３ａは中空状に形成され、内部にタッピングホール１３ｂを有し、上下に框１３ｃ（図５参照）をタッピングねじ(図示せず)により固定して構成される。主体１３ａの片側には断面形状が半円弧状の枢着部１３ｄを有する。１７はこの枢着部１３ｄを回動可能に外嵌する障子取付け部１７ａを有するアタッチメントである。このアタッチメント１７は縦枠７における縦枠６との対向面に形成されたアタッチメント取付け部７ａに基部を嵌合して取付けられる。
【００２２】
下障子１４も上障子１３と同様に構成され、縦枠６の縦枠７との対向面に形成されたアタッチメント取付け部６ａに嵌合して取付けられるアタッチメント１８（図７参照）に回動可能に取付けられる。すなわち、上障子１３と上障子１４は上下逆勝手に開閉可能に取付けられた段窓として構成される。なお、本実施の形態では、幅寸法を短くするため、上障子１３や下障子１４を金属製や樹脂製の押出形材により構成しているが、フィックス窓に隣り合う換気装置の上障子１３と下障子１４にガラスや透光性のパネルを備えるものとしてもよい。
【００２３】
２０，２１はそれぞれ上障子１３、下障子１４の室内側に固定して取付けられる網戸である。図４、図５に示すように、網戸２０は４周に取付け用の端部材２０ａを有し、この端部材２０ａを中間枠１０、縦枠６，７に形成した略Ｕ字形の取付け溝１０ａ、６ｂ，７ｂ（上枠３についても同様）に押し込む弾性部材、例えば、ゴム等でなる押込部材２２によって固定して取付けられる。下障子１４の室内側に設ける網戸２１も同様に取付け溝６ｂ，７ｂや中間枠１０、下枠４に取付けた取付け溝１０ｂを用いて取付けられる。
【００２４】
図５において、１５は上障子１３を開閉するための第１の操作部、１６は下障子１４を開閉するための第２の操作部である。２４は第１の操作部１５の操作力を上障子１３に伝達する第１の連結機構、２５は第２の操作部１６の操作力を下障子１４に伝達する第２の連結機構である。
【００２５】
図５で示したように、操作部１５，１６は、それぞれハンドル２７，２８を有する操作ユニットとして構成されるもので、各操作ユニット１５，１６は、中間枠１０の上面にねじ等の固定具３０（図４参照）により取付けられる取付け板３１と、この取付け板３１に取付けられるガイド枠３３と、このガイド枠３３に沿って摺動可能に内蔵されたスライド枠３４とを備える。
【００２６】
この操作部１５は、ハンドル２７を回動させることにより、ガイド枠３３等に内蔵した歯車機構により、スライド枠３４をガイド枠３３に沿って移動させるように構成したものである。スライド枠３４の下面には取付け軸４０を中心に回動可能にアーム４１を取付ける。このアーム４１は第１の連結機構２４の一部を構成する。第２の操作部１６を構成する操作ユニットも同様の構成のユニットとして構成され、図５に示すように、第１の操作部１５を構成する操作ユニットと上下の向きを逆にして、中間枠１０の下面に同様の取付け構造により取付ける。
【００２７】
次に第１、第２の連結機構２４，２５について、第１の連結機構２４により代表させて説明する。図４は上障子１３が閉じた状態、図６は開いた状態を示す。図４、図６において、４３は中間枠１０に取付けられた軸、４４はこの軸４３に回動可能に取付けたアームである。このアーム４４の中間部に前記アーム４１の先端をピン４５により回動可能に連結する。４７は上障子１３の室内側の下部にねじ等の固定具４８により取付けたブラケットである。５０はこのブラケット４７と前記アーム４４との間をピン５１，５２により連結して取付けたアームである。
【００２８】
図７は上障子１３のみならず、下障子１４も開いた状態を示す平面図であり、第２の連結機構２５の構成を示す。図７において、３４Ａ，４０Ａは第１の操作部１５を構成するスライド枠３４、軸４０にそれぞれ相当し、４１Ａ，４４Ａ，４５Ａ，４７Ａ，５０Ａ，５１Ａ，５２Ａはそれぞれ第１の連結機構２４を構成するアーム４１、アーム４４、ピン４５、ブラケット４７、アーム５０、ピン５１，５２に相当するものであり、これらの部材は第１の操作部１５や第１の連結機構２４と同様に構成されるが、上下の向きと左右の向きを逆にして組合わされる。また、ブラケット４７Ａは図５に示すように、下障子１４の上部に取付けられる。図５、図８（縦断面図）に示すように、中間枠１０には、第１の連結機構２４の構成部材（アーム４７，４４，５０）を通す開口部１０ｃと、第２の連結機構２５の構成部材（アーム４７A，４４A，５０A）を通す開口部１０ｄとが設けられる。１０ｅ、１０ｆはそれぞれ第１の連結機構２４の構成部材と第２の連結機構２５の構成部材を収容するために中間枠１０に設けたスペースである。
【００２９】
図４、図６、図７において、５４は上障子１３を閉じ状態でロックするために縦枠６に取付けたハンドル、５５はこのハンドル５４の操作により回動して上障子１３の自由端側に取付けたロッド５６を室内側に引き寄せてロックするロック爪である。下障子１４を閉じ状態でロックするためにも同様のロック機構が設けられる。
【００３０】
図９は図８のG−G断面図、図１０は枠体を室外側から見た図である。図４、図６〜図１０において、５８は縦枠６，７に設けられたゴム製のシール材であり、上障子１３が閉じている状態において、障子１３，１４の室内側の両端面を当接させるものである。５９〜６２は中間枠１０に取付けられたゴム製のシール材であり、シール材５９は上障子１３が閉じている状態において、上障子１３の室内側の下端面を当接させるものである。シール材５８，５９により第１のシール材を構成する。上枠３にも上障子１３の室内側の上端面を当接させるシール材(図示せず)が設けられる。下枠４にも下障子１４の室内側の下端面を当接させる同様のシール材５９（図９参照）が取付けられる。
【００３１】
シール材６０，６１はそれぞれ、中間枠１０の室外側の面において、第2の連結機構２５を構成するアーム４１Ａやアーム４４Ａ，５０Ａの収容スペース１０ｆの上側、下側にそれぞれ設けられたスペース上側シール材、スペース下側シール材である。これらのシール材６０，６１は、中間枠１０の下障子１４の上部の室内側の面に対面する位置で、かつ収容スペース１０ｆの上下に間隔を有して設けられたものである。６２は中間枠１０の両端近傍であって、かつ平面視でシール材５８と重なる位置において、シール材６０，６１間に中間枠１０への嵌合、接着により設けたスペース側部シール材であり、これらのシール材６０〜６２は収容スペース１０ｆを囲むように取付けられ、下障子１４の両側から開口部１０ｄを通して外気、雨水が浸入することを防止するものであり、第２のシール材を構成する。
【００３２】
図１１（Ａ）はシール材６２を示す正面図、同（Ｂ）は平面図であり、このシール材６２は中間枠１０に取付けのためのベース材６２ａに取付け溝６２ｂを設け、この取付け溝６２ｂに断面形状が筒状をなすゴム製のシール材本体６２ｃを嵌合して取付けたものである。ベース材６２ａは樹脂製のものであり、中間枠１０の構造に合わせて左右に配置するものどうしが対称形をなすように形成される。
【００３３】
図５において、６３は中間枠１０に取付けられて下障子１４の上端に当接するゴム製の水切り材、図７において、６４，６５はそれぞれ上障子１３、下障子１４の先端に取付けられてそれぞれ縦枠６，７に当接するゴム製の水切り材である。
【００３４】
この構成において、図４に示すように、上障子１３が閉じた状態から開く場合には、ハンドル２７を回動させてスライド枠３４を図６の矢印Ｘ１方向、すなわち紙面上、左側から右側の方向に動かす。これにより、アーム４４が軸４３を中心に矢印Ｒ１で示すように回動し、上障子１３はアーム５０により押されて矢印Ｒ２に示すように回動して開く。ハンドル２７を反対方向に回動させると、前記と反対方向の動きで上障子１３は閉じる。下障子１４の場合は、図７において、ハンドル２８の回動によりスライド枠３４Ａを矢印Ｘ２方向、すなわち紙面上、右側から左側の方向に動かすと、アーム４４Ａが軸４３Ａを中心に矢印Ｒ３で示すように回動し、下障子１４はアーム５０Ａにより押されて矢印Ｒ４に示すように回動して開く。
【００３５】
このように上下逆勝手に上障子１３、下障子１４を開いた状態においては、図１（Ｂ）（室外側から見た図）に矢印Ｓ１で示すように、紙面上、右側から吹く風は上障子１３により阻まれて上方の開口部６６から室内に入り、室内に入った空気は下方の開口部６７から矢印Ｓ２で示すように室外に出る。反対に、矢印Ｓ３で示すように、紙面上、左側から吹く風は下障子１４により阻まれて下方の開口部６７から室内に入り、室内に入った空気は上方の開口部６６から矢印Ｓ４で示すように室外に出る。このような空気の流れにより、空気の流れ方向の如何にかかわらず、換気効率が向上する。
【００３６】
本実施の形態の換気装置２は、上窓、下窓を仕切る中間枠１０に、上障子１３、下障子１４をそれぞれ開閉する第１の操作部１５、第２の操作部１６を設けたので、上障子１３を開閉する際のみならず、下障子１４を開閉する際にも腰をかがめて操作部を操作する必要がなく、操作性が向上する。また、上障子１３を開閉する第１の操作部１５のみならず、下障子１４を開閉する第２の操作部１６も中間枠１０に設けたので、第２の操作部１６が極端に下位置になることがない上、網戸２０，２１はロール網戸や内開き式網戸にする必要がなく、図示のように固定網戸とすることが可能となるので、内観による意匠性が向上する。
【００３７】
また、連結機構２４の構成部材であるアーム４１Ａ，４４Ａ，５０Ａを通すために中間枠１０に設ける収容スペース１０ｆ（図５、図８参照）がシール材６０〜６２によりシールされ、室内と室外とで気圧差が生じるため、雨水等が浸入しやすい場合であっても、下障子１４の側部と枠体との間から浸入する雨水が収容スペース１０ｆを効率的に封止し、室内に入ることを防止することができ、気水密性が向上する。
【００３８】
すなわち、本実施の形態のように、中間枠１０にオペレータハンドルを有する操作部１５，１６を取付けるという従来にない構成を採用する場合、図５に矢印Tで示すように、中間枠１０と上障子１３の下端との間に浸入する水は中間枠１０の室内側の縦板部１０ｇにより室内への浸入が阻止される。しかし、強風等で水切り材６３等を突破した雨水や、下障子１４の側部と縦枠６，７との間に浸入する雨水は、シール材６１，６２が無い場合には、下障子１４の室内側の面と中間枠１０との間から開口部１０ｄ（図５、図８参照）を経て室内側に漏水することになる。
【００３９】
しかしながら、シール材６０〜６２により、連結機構２５のアーム４１A，４４A，５０Aの収容スペース１０ｆを囲むようにシールすることによって下障子１４の側部等からの雨水等の浸入を防止することができる。すなわち、図１２に示すように、下障子１４がシール材６０〜６２に圧接して閉じている状態においては、断面形状が筒形を有するスペース上側シール材６０とスペース下側シール材６１がそれぞれ矢印D，Uのように上下（障子の面方向）に拡がるように変形し、それぞれスペース側部シール材６２の上端、下端に圧接する。このため、矢印Sで示すような下障子１４の側部から収容スペース１０ｆに向かう外気、雨水の流れを確実に止めることができ、気水密性を確保することができる。
【００４０】
また、本発明の換気装置は、後述のように単窓として構成することも可能であるが、本実施の形態のシール構造は、段窓の下窓の連結機構２５の収容スペース１０ｆをシールする構造を採用して換気装置を構成したので、本実施の形態のようにビルに設けるフィックス窓１に連設する段窓２のように、高さの高い段窓の場合であっても、下障子１４の操作部１６の位置が低くなることなく、そのため、操作部１６のハンドル２８がフロア面に置かれる荷物等に邪魔されるおそれがなく、操作性の向上が図れる段窓が、シール性の高い段窓として実現することができる。
【００４１】
また、本実施の形態のように、操作部１５，１６にオペレータハンドル２７，２８を備えたので、比較的小さな操作力で障子の開閉操作を行なうことが可能となる。
【００４２】
また、本実施の形態のように、上枠部１１および下枠部１２にそれぞれ固定網戸２０，２１を設けた構造とすることにより、障子１３，１４を開閉する際に網戸２０，２１を開閉する必要がなく、操作性、意匠性の良い換気装置が提供できる。
【００４３】
図１３（Ａ）は本発明の換気装置の他の実施の形態であり、これは中間枠１０で仕切られた上側の窓１３Ａは開閉できない嵌め殺し窓として実現したものである。この場合、下障子１４のみが換気装置を構成することとなり、換気装置にとって中間枠１０が上枠となる。図１３（Ｂ）は換気装置が単窓として構成される例であり、この単窓の枠体は上枠３Ａと下枠４Ａと左右の縦枠６Ａ，７Ａにより構成され、外開き式の障子１４Ａがこの枠体内に装着される。この図１３（Ｂ）の例の単窓構造の換気装置の場合、上枠３Ａがそれほど高くなく、操作部１６に容易に手が届き、かつ下枠４Ａが低い構成の換気装置の場合に適用されることにより、操作性の向上が図れる。
【００４４】
本発明を実施する場合、操作部１５，１６のハンドル２７，２８の回動を障子１３，１４の開閉に変換する機構としては、上記実施の形態で示した構成以外に種々のものが採用可能であり、ハンドル２７，２８の回動ではなく、スライド枠を左右に動かすことによって開閉する機構も採用可能である。また本発明は段窓として構成する場合、上下逆勝手に開閉される窓のみではなく、同方向に開く窓として構成することも可能である。その他、本発明を実施する場合、本発明の要旨を逸脱しない範囲において、種々の変更、付加が可能である。
【符号の説明】
【００４５】
１：フィックス窓、２：換気装置、３：上枠、４：下枠、５，６，７：縦枠、８：障子（ガラス）、１０：中間枠（上枠）、１０ｃ，１０ｄ：開口部、１０ｅ，１０ｆ：収容スペース、１１：上枠部、１２：下枠部、１３：上障子、１４：下障子、１５：第１の操作部（操作ユニット）、１６：第2の操作部（操作ユニット）、１７，１８：アタッチメント、２０，２１：網戸、２２：押込部材、２４：第１の連結機構、２５：第２の連結機構、２７，２８：ハンドル、３１：取付け板、３３：ガイド枠、３４，３４Ａ：スライド枠、３５：筒体、３６：回転体，３６ａ：歯車、３７：歯車、３７ａ：外歯、３７ｂ：内歯、３８：ねじロッド、４０，４０Ａ：軸、４１，４１Ａ：アーム、４３，４３Ａ：軸、４４，４４Ａ：アーム、４５，４５Ａ：ピン、４７，４７Ａ：ブラケット、５０，５０Ａ：アーム、５１，５１Ａ，５２，５２Ａ：ピン、５８，５９：シール材、６０：スペース上側シール材、６１：スペース下側シール材、６２：スペース側部シール材
【図１】
2014043719.tif 000003
【図２】
2014043719.tif 000004
【図３】
2014043719.tif 000005
【図４】
2014043719.tif 000006
【図５】
2014043719.tif 000007
【図６】
2014043719.tif 000008
【図７】
2014043719.tif 000009
【図８】
2014043719.tif 000010
【図９】
2014043719.tif 000011
【図１０】
2014043719.tif 000012
【図１１】
2014043719.tif 000013
【図１２】
2014043719.tif 000014
【図１３】
2014043719.tif 000015